(57)【特許請求の範囲】
【請求項１】
バッテリーと、
情報を表示可能な第１の表示面と、
前記第１の表示面が表示する情報に関連する情報を表示可能な第２の表示面と、
前記第１および第２の表示面のうち、一方の表示面に表示させる情報に関する付帯情報を表示させる面を設定する設定手段と、
前記バッテリーの残量を検知する残量検知手段と、
前記残量検知手段により検知されたバッテリーの残量が所定値以下となった場合、前記第１および第２の表示面のうち、前記付帯情報が表示された表示面の表示を制限する制御を行う制御手段と
を具備することを特徴とする情報処理装置。
【請求項２】
請求項１に記載の情報処理装置において、
前記制御手段は、付帯情報を表示している表示面をオフする場合、前記オフした表示面に表示されていた付帯情報を、もう一方の表示面に合成して表示することを特徴とする情報処理装置。
【請求項３】
請求項１に記載の情報処理装置において、
前記制御手段は、前記第１および第２の表示面のいずれかの表示面の表示をオフする場合、前記第１および第２の表示面のうち、最後に操作を行った表示面をオフすることを特徴とする情報処理装置。
【請求項４】
請求項１に記載の情報処理装置において、
前記第１および第２の表示面は、展開および収納を行うことによりレイアウトの変更を行うことが可能に構成されており、前記バッテリーに加えて外部電源入力部をさらに備え、前記外部電源入力部から電源が入力される場合は、前記レイアウトに対応した表示可能な表示面のすべての表示をオンすることを特徴とする情報処理装置。
【請求項５】
バッテリーと、第１の表示面と、前記第１の表示面が表示する情報と関連する情報を表示する第２の表示面とを備えた情報処理装置で用いられる表示制御方法であって、
前記第１および第２の表示面のうち、一方の表示面に表示させる情報に関する付帯情報を表示させる面を設定し、
前記バッテリーの残量を検知し、
検知されたバッテリーの残量が所定値以下となった場合、前記第１および第２の表示面のうち、前記付帯情報が表示された表示面の表示を制限する制御を行うことを特徴とする表示制御方法。
【請求項６】
請求項５に記載の表示制御方法において、
前記付帯情報を表示している表示面をオフする場合、前記オフした表示面に表示されていた付帯情報を、もう一方の表示面に合成して表示することを特徴とする表示制御方法。
【請求項７】
請求項５に記載の表示制御方法において、
前記第１および第２の表示面のいずれかの表示面の表示をオフする場合、前記第１および第２の表示面のうち、最後に操作を行った表示面をオフすることを特徴とする表示制御方法。
【請求項８】
請求項５に記載の表示制御方法において、
前記情報処理装置は前記バッテリーに加えて外部電源入力部をさらに備え、前記第１および第２の表示面は、展開および収納を行うことによりレイアウトの変更を行うことが可能に構成されており、前記外部電源入力部から電源が入力される場合は、前記レイアウトに対応した表示可能な表示面のすべての表示をオンすることを特徴とする表示制御方法。
【発明の詳細な説明】
【技術分野】
【０００１】
本発明は、ディスプレイの制御技術に係り、特にバッテリーの残量に対応してディスプレイを制御することが可能な情報処理装置および表示制御方法に関する。
【背景技術】
【０００２】
一般的に、バッテリーで駆動される携帯型の情報端末においては、複数の表示面を備えた端末が開発されている。例えば特許文献１に示すように、２つの表示面を備えた携帯情報端末において、所定の条件に基づいて、１つの表示面には画像を、他方の表示面には画像の説明の情報等を表示する技術が開示されている。
【特許文献１】特開２００５−１９８２５９号公報
【発明の開示】
【発明が解決しようとする課題】
【０００３】
しかしながら、特許文献１に記載された技術では、バッテリー残量に対応した表示の制御を行うことができない。
【０００４】
そこで、本発明は、バッテリー残量に対応した表示の制御を行うことができる情報処理装置および表示制御方法を提供することを目的とする。
【課題を解決するための手段】
【０００５】
上述した課題を解決するために、本発明の一態様によれば、バッテリーと、情報を表示可能な第１の表示面と、前記第１の表示面が表示する情報に関連する情報を表示可能な第２の表示面と、前記第１および第２の表示面のうち、一方の表示面に表示させる情報に関する付帯情報を表示させる面を設定する設定手段と、前記バッテリーの残量を検知する残量検知手段と、前記残量検知手段により検知されたバッテリーの残量が所定値以下となった場合、前記第１および第２の表示面のうち、前記付帯情報が表示された表示面の表示を制限する制御を行う制御手段とを具備することを特徴とする情報処理装置が提供される。
【０００６】
また、バッテリーと、第１の表示面と、前記第１の表示面が表示する情報と関連する情報を表示する第２の表示面とを備えた情報処理装置で用いられる表示制御方法であって、前記第１および第２の表示面のうち、一方の表示面に表示させる情報に関する付帯情報を表示させる面を設定し、前記バッテリーの残量を検知し、検知されたバッテリーの残量が所定値以下となった場合、前記第１および第２の表示面のうち、前記付帯情報が表示された表示面の表示を制限する制御を行うことを特徴とする表示制御方法が提供される。
【発明を実施するための最良の形態】
【０００７】
以下、本発明の実施形態について図面を参照しながら説明する。
【０００８】
まず、図１〜図４を参照して、本発明の一実施形態に係る情報処理装置の構成について説明する。この情報処理装置は、例えば、デジタル放送を受信可能な携帯型情報端末１０として実現されている。
【０００９】
図１は携帯型情報端末１０の表示面２０−１を表示した状態における模式図である。本携帯型情報端末１０は、本体に内蔵された表示面２０−１および本体を展開および収納することによって現れる表示面２０−３〜２０−４で構成される。なお、本体に内蔵された表示面２０−１および本体を展開および収納する方法としては、各表示面の接続部にヒンジ部材を設けてもよいし、スライド型の表示面とする等、複数の表示面を展開および収納できる方法であれば問わない。
【００１０】
表示面２０−１には、ＴＦＴ−ＬＣＤ（Thin Film Transistor Liquid Crystal Display）から構成される表示装置が組み込まれている。
【００１１】
表示面２０−１は、映像表示領域１００−１と操作パネル表示領域１００−２とをコンポジット表示（合成表示）で表示している。操作パネル表示領域１００−２では、タスクバー１０１を操作することにより、映像表示領域１００−１に表示されたデジタル放送等のコンテンツを操作する。なお、タスクバー１０１以外にも様々な操作ボタン等を組み込むことが可能である。
【００１２】
表示面２０−１は、携帯型情報端末１０に対して開放位置と閉塞位置との間を回動自在に取り付けられている。例えば、図２に示すように、表示面２０−２を開放位置とするように展開することができる。この場合、表示面２０−２には、上述したコンテンツを受信したときに合わせて受信を行った番組情報等を表示する。例えばラグビーのコンテンツが放送されている場合は、選手の情報等を表示する。すなわち、表示面２０−１および表示面２０−２に表示している内容には互いに関連があるものとする。
【００１３】
さらに、例えば、図３に示すように、表示面２０−３を下部へ開放位置とするように展開することができる。この場合、表示面２０−３には、上述したコンテンツの操作パネル１００−２等を表示する。一方、表示面２０−１は、コンテンツと操作パネルのコンポジット表示からコンテンツの表示のみの状態（映像表示）に切り替える。表示面２０−３に表示された操作パネル１００−２には、再生ボタン１０２、停止ボタン１０３、音量調節バー１０４等を表示することができる。すなわち、表示面２０−１から表示面２０−３に表示している内容には互いに関連があるものとする。さらに、例えば、図４に示すように、表示面２０−４を下部へ開放位置とするように展開することができる。この場合、表示面２０−１〜２０−４の４つの表示パネルを用いて１つのコンテンツを全画面で表示することができる。
【００１４】
以上のように、本発明の実施形態に係る携帯型情報端末１０は、必要に応じて例えば４つの表示パネルを展開して表示レイアウトを変更することができる。
【００１５】
次に、本発明の実施形態に係る携帯型情報端末の構成を図５のブロック図を参照して説明する。携帯型情報端末１０は、制御部３０、入手力部３１、記憶部３２、バッテリー残量検知部３３、バッテリー３４、表示制御部３５、表示状態検知部３６、外部電源入力部３７、表示部２０を備えている。制御部３０は、携帯型情報端末１０の総合的な制御を行う。入手力部３１は、アンテナ等からのＴＶ放送波（コンテンツ）の取り込み、メモリ等からのコンテンツの取り込み、ＴＶ等の外部機器への映像の出力等を行うインターフェースである。記憶部３２は、コンテンツの一時的な記憶、バッテリー残量に対応する表示レイアウトのテーブルデータの記憶等の各種データを記憶する。バッテリー残量検知部３３は、バッテリー３４の残量を検知し、制御部３０へ通知する。バッテリー３４は、携帯型情報端末１０に内蔵され、携帯型情報端末１０を駆動する電源を供給する。表示制御部３５は、表示部２０が備える表示面２０−１〜２０−４までの表示のオン・オフを含む表示制御を行う。表示状態検知部３６は、表示面２０−１〜２０−４がオンまたはオフされているかを検知する。外部電源入力部３７は、ＡＣアダプタ等の外部電源であり、バッテリー３４に代えて携帯型情報端末１０を駆動する電源を供給する。また、外部電源入力部３７から電源が供給されている場合は、バッテリー３４を充電することも可能である。表示部２０は、展開および収納可能な表示面２０−１〜２０−４備える。
【００１６】
次に、記憶部３２に記憶されている表示面２０−１〜２０−４の表示レイアウトの情報について説明する。図６は、表示レイアウトの情報を示すテーブルデータである。ウインドウクラスには、例えば１面表示（図１参照）、２面表示（図２参照）、３面表示（図３参照）、４面（全画面）表示（図４参照）の場合が設定されている。１面表示の場合は、表示面２０−１にコンポジット表示を行う。２面表示の場合は、表示面２０−１にコンポジット表示、表示面２０−２に番組説明を表示する。３面表示の場合は、表示面２０−１に映像表示、表示面２０−２に番組説明、表示面２０−３に操作パネルを表示する。４面（全画面）表示の場合は、表示面２０−１〜２０−４に映像表示を行う。上述したテーブルデータの設定では、表示面が２つある場合、付帯情報（番組情報、操作パネル等）を表示している表示面を優先的にオフするように設定を行っている。さらに、付帯情報の表示面をオフした場合、残っている表示面に付帯情報を合成してコンポジット表示するように設定している。なお、表示レイアウトの設定（テーブルデータ）は、上述した内容に限定されるものではなく、任意に変更可能である。
【００１７】
次に、本発明の実施形態に係る携帯型情報端末を適用した表示制御方法について図７のフローチャートを参照して説明する。
【００１８】
携帯型情報端末１０の制御部３０は、各種のイベントの入力待ちの状態に入る（ステップＳ１０１）。バッテリー残量検知部３３によってバッテリーの残量に変化が生じたと判別された場合は（ステップＳ１０２のＹＥＳ）、表示レイアウトの変更イベントを発生させる（ステップＳ１０４）。制御部３０は、表示レイアウトの変更の変更イベントが発生した場合は（ステップＳ１０３のＹＥＳ）、図６に示すように、テーブルデータに従って表示レイアウトを変更する（ステップＳ１０５）。例えば、４面表示を行っている状態において（バッテリーの残量が８０〜１００％の状態）、バッテリーの残量が減少し、７９％となった場合は、３面表示（バッテリーの残量が６０〜７９％の状態）に表示レイアウトを変更する。次に制御部３０は、表示レイアウトの変更イベント以外のイベントに対応した処理を実施する（ステップＳ１０６）。終了イベントの場合は終了する。
【００１９】
また、外部電源入力部３７からＡＣ電源等の入力がされている場合は、バッテリーの減少の心配がないため、展開している状態での最大の表示面を用いて表示する表示レイアウトとする。図８は、外部電源入力部３７からＡＣ電源等の入力がされている場合の処理を組み込んだ本発明の実施形態に係る変形例を示すフローチャートである。
【００２０】
携帯型情報端末１０の制御部３０は、各種のイベントの入力待ちの状態に入る（ステップＳ２０１）。バッテリー残量検知部３３によってバッテリーの残量に変化が生じたと判別された場合は（ステップＳ１０２のＹＥＳ）、表示レイアウトの変更イベントを発生させる（ステップＳ１０４）。制御部３０は、外部電源入力に変更があった場合は（ステップＳ１０３のＹＥＳ）、表示レイアウトを展開の状態に合わせるように変更する変更イベントを発生する（ステップＳ１０５）。なお、外部電源入力の場合に発生する変更イベントは、「展開状態に合わせた表示面をすべて表示する」となる。すなわち、４面に展開した状態の場合（図４参照）では、全画面表示を行うイベントであり、３面に展開した状態の場合（図３参照）では、３面表示を行うイベント等となる。
【００２１】
制御部３０は、表示レイアウトの変更の変更イベントが発生した場合は（ステップＳ１０６のＹＥＳ）、図６に示すように、テーブルデータに従って表示レイアウトを変更する（ステップＳ１０７）。例えば、３面表示を行っている状態において（バッテリーの残量が６０〜７９％の状態）、バッテリーの残量が減少し、５９％となった場合は、２面表示（バッテリーの残量が４０〜５９％の状態）に表示レイアウトを変更する。次に制御部３０は、表示レイアウトの変更イベント以外のイベントに対応した処理を実施する（ステップＳ１０８）。終了イベントの場合は終了する。
【００２２】
このように、予め設定しておいたテーブルデータ（図６参照）に従ってバッテリー残量に対応した表示レイアウトに自動的に変更することができる。また、テーブルデータは、上述した設定内容に限定されるものではなく、任意に設定可能である。例えば、表示レイアウトを変更して表示面をオフして減らす変更を行う場合、ユーザの操作した順に従って表示レイアウトを変更することも可能である。すなわち、ユーザによって操作対象となった表示面からオフする等である。例えば、図３に示すように、３面表示の表示レイアウトを行っている場合に、バッテリーの残量の低下が起こり、２面表示の表示レイアウトに変更する場合は、最後にユーザが操作していた表示面が表示面２０−３であった場合は、表示面２０−３を優先的にオフするように表示レイアウトを変更する。また、４つの表示面２０−１〜２０−４を用いて１つのコンテンツを表示する全画面を行っている場合（図４参照）、バッテリーの残量の低下が起こり、４面表示のレイアウトの閾値より少なくなった場合は（例えばバッテリー残量８０％未満：図６参照）、表示レイアウトを一気に１面表示の表示レイアウトに変更するようにしてもよい。
【００２３】
なお、本発明は、上述した実施形態そのままに限定されるものではない。本発明は、実施段階では、その要旨を逸脱しない範囲で構成要素を変更して具現化できる。
【００２４】
また、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００２５】
【図１】本発明の一実施形態に係る情報処理装置の１面表示を行っている状態の構成を示す模式図。
【図２】本発明の一実施形態に係る情報処理装置の２面表示を行っている状態の構成を示す模式図。
【図３】本発明の一実施形態に係る情報処理装置の３面表示を行っている状態の構成を示す模式図。
【図４】本発明の一実施形態に係る情報処理装置の４面（全画面）表示を行っている状態の構成を示す模式図。
【図５】本発明の一実施形態に係る情報処理装置の構成を示すブロック図。
【図６】本発明の一実施形態に係る情報処理装置の表示レイアウトを示すテーブルデータの概念図。
【図７】本発明の一実施形態に係る情報処理装置の表示制御方法を説明するためのフローチャート。
【図８】本発明の一実施形態に係る情報処理装置の表示制御方法を説明するためのフローチャート。
【符号の説明】
【００２６】
１０…携帯型情報端末、２０…表示部、２０−１、２０−１、２０−３、２０−４…表示面、３０…制御部、３１…入手力部、３２…記憶部、３３…バッテリー残量検知部、３４…バッテリー、３５…表示制御部、３６…表示状態検知部、３７…外部電源入力部、１００−１…映像表示領域、１００−２…操作パネル表示領域、１０１…タスクバー
【図１】
0004834683.tif 000002
【図２】
0004834683.tif 000003
【図３】
0004834683.tif 000004
【図４】
0004834683.tif 000005
【図５】
0004834683.tif 000006
【図６】
0004834683.tif 000007
【図７】
0004834683.tif 000008
【図８】
0004834683.tif 000009